(57)【要約】【課題】高周波の漏洩を適切に防止しながら、加熱庫の開口部を広くし得る高周波加熱装置付コンロを提供する。【解決手段】高周波加熱装置が、開口部４を本体ケース２の前面部に開口させた形態で設けられた高周波加熱装置付コンロであって、高周波加熱装置に、被加熱物を載置自在な載置台１２を有する引出部Ｈと、その引出部Ｈを加熱庫３内に収納される収納位置と加熱庫３の前方に引き出される引出位置とにわたって出退移動自在な状態で支持する案内手段とが備えられ、扉５が、引出部Ｈが収納位置に位置したときに開口部４を閉じる状態となるように、引出部Ｈに設けられ、扉５に、開口部４を閉じる状態で、外周面が全周にわたって加熱庫３の内周面に対向する状態で加熱庫３内に入り込む凸部１３が設けられ、凸部１３における加熱庫３の内周面に対向する部位に、高周波遮蔽部１４が設けられている。【選択図】図９
2014009898.tif 000002
【特許請求の範囲】
【請求項１】
天板を備えた本体ケース内に、前記天板に載置された調理用容器を加熱するコンロ用加熱部と、加熱庫及びその加熱庫における被加熱物出し入れ用の開口部を開閉する扉を備えて前記加熱庫内の被加熱物を高周波により加熱する高周波加熱装置とが設けられ、
前記高周波加熱装置が、前記開口部を前記本体ケースの前面部に開口させた形態で設けられた高周波加熱装置付コンロであって、
前記高周波加熱装置に、被加熱物を載置自在な載置台を有する引出部と、その引出部を前記加熱庫内に収納される収納位置と前記加熱庫の前方に引き出される引出位置とにわたって出退移動自在な状態で支持する案内手段とが備えられ、
前記扉が、前記引出部が前記収納位置に位置したときに前記開口部を閉じる状態となるように、前記引出部に設けられ、
前記扉に、前記加熱庫の奥側に突出して、前記扉が前記開口部を閉じる状態で、外周面が全周にわたって前記加熱庫の内周面に対向する状態で前記加熱庫内に入り込む凸部が設けられ、
前記凸部における前記加熱庫の内周面に対向する部位に、高周波遮蔽部が設けられている高周波加熱装置付コンロ。
【請求項２】
前記案内手段が、前記加熱庫側に固定された固定レールと、その固定レールに前記収納位置と前記引出位置とにわたって移動自在に支持され且つ前記引出部を支持する可動レールとを備えたスライドレールにて構成され、
前記扉における前記凸部よりも外周側の箇所が、前記可動レールの先端に支持されている請求項１に記載の高周波加熱装置付コンロ。
【請求項３】
前記高周波遮蔽部に対して前記引出部の移動方向において前記加熱庫の奥側に近接して、前記加熱庫の内周面とにより高周波を減衰させる狭隘な高周波減衰通路を形成する減衰通路形成部材が設けられている請求項１又は２に記載の高周波加熱装置付コンロ。
【請求項４】
前記凸部の外周面を形成する外周面形成部材が、前記高周波遮蔽部よりも前記引出部の移動方向において前記加熱庫の奥側に延びるように構成され、
前記減衰通路形成部材が、前記外周面形成部材における前記高周波遮蔽部よりも前記引出部の移動方向において前記加熱庫の奥側の部分により構成されている請求項３に記載の高周波加熱装置付コンロ。
【請求項５】
マグネトロンから発生する高周波を前記加熱庫内に伝搬させる導波管が、幅が前記加熱庫の上面における左右方向の幅よりも狭い扁平状に構成され、
前記扁平状の導波管が、厚さ方向を上下方向に向けた姿勢で、前記加熱庫の上面における左右方向の中央部に設けられ、
前記加熱庫の上面における前記導波管の左右両側に、前記加熱庫内から排気を排出する排気口が設けられ、
前記排気口からの排気を導く排気ダクトが、下流側の開口部が前記天板の後方側の部分に開口する形態で、前記本体ケース内に設けられている請求項１〜４のいずれか１項に記載の高周波加熱装置付コンロ。
【請求項６】
前記マグネトロンと、前記マグネトロンを駆動する高圧トランス及び高圧コンデンサとを含む複数の電気部品、並びに、前記複数の電気部品を冷却する冷却ファンが、前記本体ケース内における前記加熱庫の後方側の部分に設けられている請求項５に記載の高周波加熱装置付コンロ。
【請求項７】
前記排気ダクトが、前記冷却ファンにより通風される冷却風も排出するように構成されている請求項６に記載の高周波加熱装置付コンロ。
【発明の詳細な説明】
【技術分野】
【０００１】
本発明は、天板を備えた本体ケース内に、前記天板に載置された調理用容器を加熱するコンロ用加熱部と、加熱庫及びその加熱庫における被加熱物出し入れ用の開口部を開閉する扉を備えて前記加熱庫内の被加熱物を高周波により加熱する高周波加熱装置とが設けられ、前記高周波加熱装置が、前記開口部を前記本体ケースの前面部に開口させた形態で設けられた高周波加熱装置付コンロに関する。
【背景技術】
【０００２】
かかる高周波加熱装置付コンロは、高周波を用いて被加熱物を加熱調理する高周波加熱装置（所謂、電子レンジ）を備えたものであり、高周波加熱装置がビルトインタイプのコンロや据置タイプのコンロに一体的に組み付けられているので、省スペース化に優れている（例えば、特許文献１参照。）。ちなみに、ビルトインタイプのコンロは、システムキッチン等のカウンターの下方の設置スペース内に設置するものであり、据置タイプのコンロは、キッチンのキャビネット等の上に載置するものである。
【０００３】
ところで、このような高周波加熱装置では、高周波が加熱庫の開口部と扉との間の隙間から漏洩するのを防止する高周波遮蔽部が設けられる。
上記の特許文献１には開示されていないが、従来は、加熱庫の前面（開口部の外周の面）が、開口部の開口縁に沿う面に平行な面の額縁状に構成されると共に、扉の裏面の外周部に、加熱庫の額縁状前面に当て付け可能な扉側当て付け面が設けられ、高周波遮蔽部が、加熱庫の額縁状前面の裏側又は扉の扉側当て付け面の裏側のいずれか一方に設けられていた。
【先行技術文献】
【特許文献】
【０００４】
【特許文献１】特開２０１０−１４２４３７号公報
【発明の概要】
【発明が解決しようとする課題】
【０００５】
ところで、高周波遮蔽部による高周波遮蔽作用を十分なものにするには、高周波遮蔽部において、加熱庫の開口部と扉との間の隙間に対向する部分の幅を極力長くするのが好ましい。
従来では、加熱庫の額縁状前面の裏側又は扉の扉側当て付け面の裏側のいずれか一方に、高周波遮蔽部が設けられているので、高周波遮蔽部による高周波遮蔽作用を十分なものにするには、加熱庫の額縁状前面の縁幅（額縁状前面の内縁と外縁との間の幅）を極力広くする必要がある。
【０００６】
一方、例えば、ビルトインタイプのコンロは、カウンターの下方の規定の設置スペース内に設置する必要がある等の理由により、このような高周波加熱装置付コンロでは、本体ケースの外形の最大寸法が規定されている。そのため、加熱庫の外形の最大寸法も、本体ケースの規定の最大外形寸法に応じて制限されることになり、当然、加熱庫の前面の外周の最大寸法も、本体ケースの前面における規定の最大外形寸法に応じて制限される。
従って、従来の高周波加熱装置付コンロでは、加熱庫の額縁状前面の縁幅を極力広くする必要があるので、その分、加熱庫の開口部が狭くなるという問題があった。特に、開口部の上下方向の開口幅が狭くなると、背の高い容器（例えば、ガラスコップ）を加熱庫内に入れることができなくなり、使い勝手が悪かった。
【０００７】
本発明は、かかる実情に鑑みてなされたものであり、その目的は、高周波の漏洩を適切に防止しながら、加熱庫の開口部を広くし得る高周波加熱装置付コンロを提供することにある。
【課題を解決するための手段】
【０００８】
本発明の高周波加熱装置付コンロは、天板を備えた本体ケース内に、前記天板に載置された調理用容器を加熱するコンロ用加熱部と、加熱庫及びその加熱庫における被加熱物出し入れ用の開口部を開閉する扉を備えて前記加熱庫内の被加熱物を高周波により加熱する高周波加熱装置とが設けられ、
前記高周波加熱装置が、前記開口部を前記本体ケースの前面部に開口させた形態で設けられたものであって、
第１特徴構成は、前記高周波加熱装置に、被加熱物を載置自在な載置台を有する引出部と、その引出部を前記加熱庫内に収納される収納位置と前記加熱庫の前方に引き出される引出位置とにわたって出退移動自在な状態で支持する案内手段とが備えられ、
前記扉が、前記引出部が前記収納位置に位置したときに前記開口部を閉じる状態となるように、前記引出部に設けられ、
前記扉に、前記加熱庫の奥側に突出して、前記扉が前記開口部を閉じる状態で、外周面が全周にわたって前記加熱庫の内周面に対向する状態で前記加熱庫内に入り込む凸部が設けられ、
前記凸部における前記加熱庫の内周面に対向する部位に、高周波遮蔽部が設けられている点にある。
【０００９】
上記特徴構成によれば、引出部を収納位置にまで押し込むと、扉の凸部が開口部から加熱庫内に入り込みつつ、扉が開口部を閉じる位置に位置し、扉がそのように開口部を閉じる位置に位置すると、その凸部の外周面が全周にわたって加熱庫の内周面に対向する状態となる。凸部の外周面における加熱庫の内周面に対向する部位には、高周波遮蔽部が設けられているので、加熱庫の開口部と扉との隙間を通って高周波が外部に漏洩するのが適切に防止される。
ところで、このような高周波加熱装置付コンロでは、高周波が発生している状態で誤って扉が開けられたときに、高周波の漏洩を防止するため、扉が開かれるのを検知する開扉検知手段を設けて、その開扉検知手段により開扉を検知されると高周波の発生を停止する異常開扉時漏洩防止手段が設けられている。
上記特徴構成によれば、高周波が発生している状態で誤って引出部が引き出されても、引き出し直後は、高周波遮蔽部が加熱庫の内周面に対向する状態が維持されて、高周波が遮蔽されるので、異常開扉時漏洩防止手段との相乗作用により、高周波が加熱庫の外部に漏洩するのが一層適切に防止される。
【００１０】
そして、高周波遮蔽部は、扉が開口部を閉じる位置に位置したときに、加熱庫内に入り込む扉の凸部における上述の如き部位に設けられているため、高周波遮蔽部を設けるために加熱庫の開口部外周の額縁状前面の縁幅を広くする必要がないので、開口部外周の額縁状前面の縁幅を狭くすることにより、加熱庫の前面の外周の最大寸法が制限される状態でも、開口部を広くすることができる。特に、開口部の上下方向の開口幅を広くすることにより、背の高い容器（例えば、ガラスコップ）も加熱庫内に入れることが可能となり、使い勝手が向上する。
従って、高周波の漏洩を適切に防止しながら、加熱庫の開口部を広くし得る高周波加熱装置付コンロを提供することができるようになった。
【００１１】
第２特徴構成は、上記第１特徴構成に加えて、
前記案内手段が、前記加熱庫側に固定された固定レールと、その固定レールに前記収納位置と前記引出位置とにわたって移動自在に支持され且つ前記引出部を支持する可動レールとを備えたスライドレールにて構成され、
前記扉における前記凸部よりも外周側の箇所が、前記可動レールの先端に支持されている点にある。
【００１２】
上記特徴構成によれば、スライドレールを加熱庫の外部に設けて、そのスライドレールにより引出部を出退移動させて、加熱庫の開口部を扉により開閉することができる。
従って、加熱庫内の使用可能スペースを一層広くすることができるので、一層使い勝手を向上することができる。
【００１３】
第３特徴構成は、上記第１又は第２特徴構成に加えて、
前記高周波遮蔽部に対して前記引出部の移動方向において前記加熱庫の奥側に近接して、前記加熱庫の内周面とにより高周波を減衰させる狭隘な高周波減衰通路を形成する減衰通路形成部材が設けられている点にある。
【００１４】
上記特徴構成によれば、高周波は加熱庫内から高周波減衰通路を通過して高周波遮蔽部に至ることになり、狭隘な高周波減衰通路を通過している間に減衰し、更に、高周波遮蔽部により遮蔽されるので、高周波が加熱庫の外部に漏洩するのを一層確実に防止することができる。
従って、高周波の漏洩防止能力を一段と向上することができる。
【００１５】
第４特徴構成は、上記第３特徴構成に加えて、
前記凸部の外周面を形成する外周面形成部材が、前記高周波遮蔽部よりも前記引出部の移動方向において前記加熱庫の奥側に延びるように構成され、
前記減衰通路形成部材が、前記外周面形成部材における前記高周波遮蔽部よりも前記引出部の移動方向において前記加熱庫の奥側の部分により構成されている点にある。
【００１６】
上記特徴構成によれば、減衰通路形成部材が、凸部の外周面を形成する外周面形成部材における高周波遮蔽部よりも引出部の移動方向において加熱庫の奥側の部分により構成されている。つまり、減衰通路形成部材が扉の凸部に一体的に構成されているので、製造工程を簡略化することができて、コストダウンを図ることができる。
従って、価格の上昇を回避しながら、高周波の漏洩防止能力を一段と向上することができる。
【００１７】
第５特徴構成は、上記第１〜第４特徴構成のいずれか１つに加えて、
マグネトロンから発生する高周波を前記加熱庫内に伝搬させる導波管が、幅が前記加熱庫の上面における左右方向の幅よりも狭い扁平状に構成され、
前記扁平状の導波管が、厚さ方向を上下方向に向けた姿勢で、前記加熱庫の上面における左右方向の中央部に設けられ、
前記加熱庫の上面における前記導波管の左右両側に、前記加熱庫内から排気を排出する排気口が設けられ、
前記排気口からの排気を導く排気ダクトが、下流側の開口部が前記天板の後方側の部分に開口する形態で、前記本体ケース内に設けられている点にある。
【００１８】
上記特徴構成のように、導波管を、その幅が加熱庫の上面における左右方向の幅よりも狭い扁平状に構成すると共に、その導波管と加熱庫内の排気を排出する排気ダクトとを上記の特徴構成の配置形態で配置することにより、それら導波管と排気ダクトとを加熱庫の上方にコンパクトに配置することができ、その分、加熱庫の高さを一層高くすることができる。
従って、開口部の上下方向の開口幅を一層広くすることができる。
【００１９】
第６特徴構成は、上記第５特徴構成に加えて、
前記マグネトロンと、前記マグネトロンを駆動する高圧トランス及び高圧コンデンサとを含む複数の電気部品、並びに、前記複数の電気部品を冷却する冷却ファンが、前記本体ケース内における前記加熱庫の後方側の部分に設けられている点にある。
【００２０】
上記特徴構成によれば、マグネトロン、高圧トランス及び高圧コンデンサ等の発熱する複数の電気部品、並びに、それら複数の電気部品を冷却する冷却ファンを、本体ケース内における加熱庫の後方側の部分にまとめてコンパクトに配置することができ、その分、加熱庫の外形を大きくすることができる。
従って、加熱庫の庫内を一層広くすることができる。
【００２１】
第７特徴構成は、上記第６特徴構成に加えて、
前記排気ダクトが、前記冷却ファンにより通風される冷却風も排出するように構成されている点にある。
【００２２】
上記特徴構成によれば、一つの排気ダクトにより、加熱庫内の排気と冷却ファンにより通風された冷却風を本体ケース外に排出するので、構成の簡略化によりコストダウンを図ることができる。
従って、価格の上昇を回避しながら、加熱庫内の排気と冷却ファンにより通風された冷却風を適切に本体ケース外に排出することができる。
【図面の簡単な説明】
【００２３】
【図１】高周波加熱装置付コンロの外観を示す斜視図
【図２】高周波加熱装置付コンロの縦断右側面図
【図３】高周波加熱装置の外観を示す斜視図
【図４】高周波加熱装置の平面図
【図５】高周波加熱装置の扉の外観を示す斜視図
【図６】高周波加熱装置の扉の分解斜視図
【図７】高周波加熱装置の扉の分解斜視図
【図８】引出部を引き出した状態での高周波加熱装置の要部の縦断右側面図
【図９】引出部を収納した状態での高周波加熱装置の要部の縦断右側面図
【発明を実施するための形態】
【００２４】
以下、図面に基づいて、本発明の実施の形態を説明する。
図１及び図２に示すように、高周波加熱装置付コンロ（以下、コンロと略記する場合がある）は、天板１を備えた本体ケース２内に、天板１に載置された鍋等の調理用容器（図示省略）を加熱するコンロ用加熱部としての３個のコンロ用ガスバーナＢ、加熱庫３（図２参照）及びその加熱庫３における被加熱物出し入れ用の開口部４を開閉する扉５を備えて加熱庫３内の被加熱物（図示省略）を高周波により加熱する高周波加熱装置Ｒとが設けられて、ビルトインタイプのコンロに構成されている。
【００２５】
本体ケース２は、上部が略全面にわたって開口した概略扁平直方体形状の箱状に構成され、その本体ケース２の上部が天板１にて覆われている。天板１には、３個のコンロ用バーナＢを配置するための３個のバーナ用開口部（図示省略）が形成され、各コンロ用バーナＢは、ガス燃料と空気との混合気を噴出して火炎を形成するバーナヘッドＢｈを各バーナ用開口部を通して上方に突出させる形態で、天板１の下方に配設されている。天板１の上面には、３個のコンロバーナＢの夫々に対応して、加熱用容器を載置する五徳６が取り外し自在に載置支持される。
天板１の後方部には、高周波加熱装置Ｒの排気を排出する排気ダクト７（詳細は後述）の先端の出口開口部を臨ませる排気用開口部１ｅが形成されている。
【００２６】
図１に示すように、前面視で、本体ケース２の前面部の左側部分は、高周波加熱装置Ｒを操作するためのレンジ用操作部８を備えたレンジ操作部用カバー板９にて覆われ、右側部分は、コンロ用バーナＢを操作するための３個のコンロ用操作部１０を備えたコンロ操作部用カバー板１１にて覆われている。
そして、高周波加熱装置Ｒは、その加熱庫３の開口部４を本体ケース２の前面部におけるレンジ操作用カバー板９とコンロ操作用カバー板１１との間に開口させた形態で本体ケース２内に配設される。
本発明は、主として高周波加熱装置Ｒに関わる発明であるので、コンロ用バーナＢに関する説明は省略して、以下、高周波加熱装置Ｒについて詳細に説明する。
【００２７】
図２及び図３に示すように、本発明では、高周波加熱装置Ｒに、被加熱物を載置自在な載置台１２を有する引出部Ｈと、その引出部Ｈを加熱庫３内に収納される収納位置と加熱庫３の前方に引き出される引出位置とにわたって出退移動自在な状態で支持する案内手段Ｇとが備えられ、扉５が、引出部Ｈが収納位置に位置したとき（図２参照）に開口部４を閉じる状態となるように、引出部Ｈに設けられている。
そして、図５、図８及び図９に示すように、扉５に、開口部４を閉じる状態で、外周面が全周にわたって加熱庫３の内周面に対向する状態で加熱庫３内に入り込む凸部１３が設けられ、その凸部１３における加熱庫３の内周面に対向する部位に、高周波遮蔽部としてのチョーク構造１４が設けられている。図２からも判断できるように、扉５が開口部４を閉じる状態では、その扉５の凸部１３は加熱庫３内に入り込む。
【００２８】
次に、高周波加熱装置Ｒの各部について説明を加える。尚、以下の説明では、本体ケース２の前面を正面から視る前面視で、手前側を前側、奥側を後側と夫々定義し、更に、その前面視で左右方向を定義して説明する。即ち、前後方向は引出部Ｈの移動方向と平行な方向であり、前側は、引出部Ｈを引き出す側に相当し、後側は、引出部Ｈを押し込む側に相当する。
図２及び図３に示すように、加熱庫３は、前方が開口部４にて開口した概略直方体形状の箱状に構成され、その高さは本体ケース２内の高さよりも低く、奥行きは、本体ケース２内の奥行きよりも短くなるように設定されている。そして、図２及び図４に示すように、この加熱庫３が、その天井壁部と天板１との間に扁平な上部収納空間１５が形成され、且つ、その後壁部と本体ケース２の後壁部との間に後部収納空間１６が形成される形態で、本体ケース２内に配設されている。
【００２９】
図２及び図４に示すように、本体ケース２内における加熱庫３後方の後部収納空間１６には、高周波を発生するマグネトロン１７と、マグネトロン１７を駆動する高圧トランス１８及び高圧コンデンサ１９とを含む複数の電気部品（マグネトロン１７、高圧トランス１８及び高圧コンデンサ１９以外は図示省略）、並びに、それら複数の電気部品を冷却する冷却ファン２０が設けられている。
マグネトロン１７、高圧トランス１８及び高圧コンデンサ１９は、平面視で、左右の略中央部にマグネトロン１７及び高圧コンデンサ１９が位置し、マグネトロン１７の左横に隣接して高圧トランス１８が位置する配置形態で、後部収納空間１６に配設されている。
冷却ファン２０は、平面視で、後部収納空間１６における右側端部に、左横向きに冷却風を通風するように配設され、マグネトロン１７、高圧トランス１８及び高圧コンデンサ１９を含む複数の電気部品に向けて冷却風を通風してそれらを冷却するように構成されている。
【００３０】
図２〜図４に示すように、マグネトロン１７から発生する高周波を加熱庫３内に伝搬させる導波管２１が、幅が加熱庫３の上面における左右方向の幅よりも狭い扁平状に構成されている。そして、その扁平状の導波管２１が、その厚さ方向を上下方向に向けた姿勢で、加熱庫３の上面における左右方向の中央部に位置させて、本体ケース２内における加熱庫３上方の上部収納空間１５に配設されている。
加熱庫３内の天井側には、導波管２１により伝播される高周波を加熱庫３内に攪拌させるスターラ２２が設けられ、そのスターラ２２を回転駆動するスターラ用電動モータ２３が、導波管２１の上部に載置した状態で上部収納空間１５に配設されている。
【００３１】
図３及び図４に示すように、加熱庫３の天井部の後方側における導波管２１の左右両側には、加熱庫３内の排気を排出する排気口２４が設けられている。
そして、図２〜図４に示すように、排気ダクト７が、入口開口部を加熱庫の２個の排気口２４に連通接続し、且つ、先端の出口開口部を天板１の排気用開口部１ｅに臨ませた状態で、後部収納空間１６の上方を通過させて本体ケース２内に配設されている。
排気ダクト７における後部収納空間１６の上方を覆う部分の下側の壁部分において、マグネトロン１７及び高圧コンデンサ１９の上方に対応する部分、並びに、高圧トランス１８の上方に対応する部分の夫々には、冷却ファン２０により通風される冷却風を導入する冷却風導入口７ｉが設けられている。
つまり、排気ダクト７が、加熱庫３からの排気と共に、冷却ファン２０により通風される冷却風も排出するように構成されている。
【００３２】
図３及び図５に示すように、案内手段Ｇは、加熱庫３側に固定された固定レール２６と、その固定レール２６に収納位置と引出位置とにわたって移動自在に支持され且つ引出部Ｈを支持する可動レール２７とを備えたスライドレール２５にて構成されている。
そして、一対のスライドレール２５が、加熱庫３の左右両側外部に振り分けて設けられ、扉５における凸部１３の外周側の左右両側の箇所夫々が、一対のスライドレール２５夫々の可動レール２７の先端に支持されている。
【００３３】
図５及び図８に示すように、載置台１２は、扉５の凸部１３における後方側を向く面部（以下、後面と記載する場合がある）の下端に、後方に延びるように支持されている。
扉５における凸部１３の外周側の部分は、扉５の厚さ方向、即ち、引出部Ｈの移動方向に直交する面に平行な矩形枠状の当て付け面２８に構成されている。
又、加熱庫３の開口部４の外周部には、扉５が加熱庫３の開口部４を閉じる状態となったときに、扉５における凸部１３の外周の当て付け面２８を当て付け可能なように、引出部Ｈの移動方向に直交する面に平行な面を有する矩形枠状の額縁状前面部２９が備えられている。
図３に示すように、各スライドレール２５は、夫々の可動レール２７が額縁状前面部２９に形成されたレール挿通孔２９ｈを通って移動自在な状態で、加熱庫３の左右両壁部夫々の外面における下端部分に取り付けられている。
又、図５に示すように、扉５の凸部１３外周の当て付け面２８における左右両側の辺部夫々の下端部が、各スライドレール２５の可動レール２７の先端に支持されている。
そして、図８及び図９に示すように、一対のスライドレール２５の案内により、扉５を後方に移動させると、扉５の凸部１３が開口部４から加熱庫３内に入り込んで、その凸部１３外周の当て付け面２８が加熱庫３の開口部４外周の額縁状前面部２９の前面に当て付けられた状態で、その扉５により加熱庫３の開口部４が閉じられる。
【００３４】
次に、図６〜図９に基づいて、扉について説明を加える。
この扉５は、凸部１３の後方側部分を構成する扉本体３０と、凸部１３の前方側部分及び凸部１３の外周の当て付け面２８を構成する前面視で矩形枠状のチョークカバー４０と、扉５の前方側部分を構成する前面視で矩形枠状の飾り板３１と、その飾り板３１の前面下端部に取り付けられた把手３２と、飾り板３１の枠内を覆うガラス板３３とを備えて構成されている。
扉本体３０は、前面視で矩形状で、外周全周にわたって前方に直角に起立した前向き起立壁部分５１を備えた蓋板材５０と、前面視で矩形枠状で、外周全周にわたって後方に直角に起立した後向き起立壁部分６１を備えて、その後向き起立壁部分６１が蓋板材５０の前向き起立壁部分５１の内面に当て付けた状態で蓋板材５０に連結される後方側チョーク構成材６０と、前面視で矩形枠状で、蓋板材５０と後方側チョーク構成材６０との間に配設されてそれら蓋板材５０と後方側チョーク構成材６０とを間隔を隔てた状態に支持する間隔保持材７０と、前面視で矩形枠状でその全周にわたって後向きに開く樋状に構成されて、後方側チョーク構成材６０の前方に連結される前方側チョーク構成材８０とを備えて構成されている。
それら蓋板材５０、後方側チョーク構成材６０、間隔保持材７０及び前方側チョーク構成材８０は、いずれも金属製であり、蓋板材５０には、高周波を遮蔽可能な大きさの多数の孔が形成されている。又、加熱庫３の内周面を形成する部材及び額縁状前面部２９を形成する部材も、金属製である。
【００３５】
間隔保持材７０は、矩形枠状の内方側部分が前方に突出した形状の２段状に構成され、外方側の段を構成する外段部分７１が蓋板材５０の前面に接続され、且つ、内方側の段を構成する内段部分７２が後方側チョーク構成材６０の後面に接続されている。
前面視で矩形枠状の前方側チョーク構成材８０は、引出部Ｈの移動方向に直交する方向視で、樋の底部に対応する前壁部分８１と、樋の外周を囲う外周壁部分８２と、樋の内周を囲う内周壁部分８３と、その内周壁部分８３の後端から枠内側に延びる接続壁部分８４を備えた形状に構成されている。
引出部Ｈの移動方向に直交する方向視で、前方側チョーク構成材８０の前壁部分８１は、引出部Ｈの移動方向に直交する方向に沿って延び、外周壁部分８２及び内周壁部分８３は、夫々、前後方向、即ち、引出部Ｈの移動方向に沿って延び、接続壁部分８４は、引出部Ｈの移動方向に直交する方向に沿って延びるように構成されている。
【００３６】
前方側チョーク構成材８０の外周壁部分８２の高さ（引出部Ｈの移動方向に沿う方向での寸法）は、内周壁部分８３の高さ（引出部Ｈの移動方向に沿う方向での寸法）よりもやや低く設定されている。
更に、前方側チョーク構成材８０には、外周壁部分８２の後端縁（加熱庫３の奥側に相当する）から前壁部分８１における枠内外方向の中間部にまで延びる多数のスリット８５が等間隔で全周にわたって設けられて、前方側チョーク構成材８０は、前壁部分８１と外周壁部分８２とにより、櫛歯状に構成されている。
前方側チョーク構成材８０は、その接続壁部分８４が後方側チョーク構成材６０の前面に接続された状態で、後方側チョーク構成材６０に連結されている。そして、前方側チョーク構成材８０（具体的には、前壁部分８１、外周壁部分８２及び内周壁部分８３）と後方側チョーク構成材６０とにより、複数の袋小路形状のチョーク箱体１４ｃがスリット８５により間隔を隔てた状態で前面視で矩形枠状に並んだチョーク構造１４が構成されている。その矩形枠状のチョーク構造１４には、前方側チョーク構成材８０の外周壁部分８２の後端縁と後方側チョーク構成材６０の前面とにより形成されるチョーク入口３４が、矩形枠状の全周にわたって備えられている。
【００３７】
チョークカバー４０は、前面視で矩形枠状の額縁部分４１と、その額縁部分４１の枠内外方向の外周全周にわたって前方に直角に起立した前向き起立壁部分４２と、額縁部分４１の枠内外方向の中間部から全周にわたって後方に直角に起立した外周側後ろ向き起立壁部分４３と、額縁部分４１の枠内外方向の内周全周にわたって後方に直角に起立した内周側後ろ向き起立壁部分４４とを備えた形状に構成されている。
そのチョークカバー４０の外周側後ろ向き起立壁部分４３における引出部Ｈの移動方向に沿う方向での長さは、前方側チョーク構成材８０の内周壁部分８３における引出部Ｈの移動方向に沿う方向での長さと略同一に設定されている。
そして、チョークカバー４０が、その外周側後ろ向き起立壁部分４３の内周面を前方側チョーク構成材８０の外周壁部分８２の外周面に当て付け、且つ、その額縁部分４１の後面を前方側チョーク構成材８０の前壁部分８１の前面に当て付けた状態で、扉本体３０の前方に連結されている。
つまり、前面視で矩形枠状のチョーク構造１４の外周部（チョーク入口３４を含む）が全周にわたってチョークカバー４０の外周側後ろ向き起立壁部分４４により覆われている。
【００３８】
図９に示すように、扉５が加熱庫３の開口部４を閉じる状態で、凸部１３における蓋板材５０の前向き起立壁部分５１の外周面と加熱庫３の内周面との間に、チョーク構造１４の手前で高周波を減衰させる高周波減衰通路３５が形成される。
つまり、凸部１３における蓋板材５０の前向き起立壁部分５１が、チョーク構造１４に対して引出部Ｈの移動方向において加熱庫３の奥側に近接して、加熱庫３の内周面とにより高周波を減衰させる狭隘な高周波減衰通路３５を形成する減衰通路形成部材３６として機能する。
そして、凸部１３の外周面を形成する外周面形成部材３７が、チョークカバー４０の外周側後ろ向き起立壁部分４３と蓋板部材５０の前向き起立壁部分５１とから構成されて、チョーク構造１４よりも引出部Ｈの移動方向において加熱庫Ｈの奥側に延びるように構成され、減衰通路形成部材３６が、外周面形成部材３７におけるチョーク構造１４よりも引出部Ｈの移動方向において加熱庫３の奥側の部分、即ち、蓋板部材５０の前向き起立壁部分５１により構成されていることになる。
【００３９】
高周波減衰通路３５及びチョーク構造１４による高周波遮蔽作用について説明する。
加熱庫３の庫内から加熱庫３と扉５の隙間に伝播する高周波は、先ず狭隘な高周波減衰通路３５を通過して減衰した後、チョーク構造１４に入る。チョーク構造１４では、加熱庫３と扉５の隙間から漏洩しようとする高周波をチョーク入口３４から袋小路状のチョーク箱体１４ｃ内に導き、チョーク箱体１４ｃの内面で反射させ、その反射波とチョーク入口３４から入射する高周波とを合成して、チョーク入口３４での高周波の電圧を最大、電流を最小とすることにより、高周波を遮蔽する。
つまり、加熱庫３の庫内から加熱庫３と扉５の隙間に伝播する高周波を、先ず高周波減衰通路３５で減衰させた後、チョーク構造１４により加熱庫３と扉５の隙間から漏洩するのを遮蔽するので、高周波の漏洩を十分に防止することができる。
【００４０】
そして、チョーク構造１４は、扉５が開口部４を閉じる位置に位置したときに、加熱庫３内に入り込む扉５の凸部１３における加熱庫３の内周面に対向する部位に設けられているため、開口部４外周の額縁状前面部２９の縁幅を狭くすることにより、開口部４を広くすることができる。
【００４１】
〔別実施形態〕
次に別実施形態を説明する。
（イ）  案内手段Ｇの具体構成は、上記の実施形態で例示したスライドレール２５に限定されるものではなく、例えば、リンク機構を用いた構成や電動シリンダを用いた構成等、種々の構成を用いることができる。
【００４２】
（ロ）上記の実施形態では、減衰通路形成部材３６を、扉５の凸部１３に一定的に設けたが、加熱庫３の内周面に設けても良い。
【００４３】
（ハ）  高周波減衰通路３５を省略しても良い。高周波減衰通路３５を省略すると、扉５の凸部１３の奥行きを短くすることができるので、加熱庫内における使用可能なスペースを一層広くすることができる。
【００４４】
（ニ）  チョーク構造１４の具体構成は、上記の実施形態において例示した構成に限定されるものではなく、種々の構成を用いることができる。
【００４５】
（ホ）  上記の実施形態では、コンロ用加熱手段としてコンロ用バーナＢを用いた高周波加熱装置付コンロに本発明を適用したが、本発明は、コンロ用加熱手段として、ハロゲンランプ、電気抵抗線を内蔵したシーズヒータ、又は、電磁誘導加熱（通常、「ＩＨ」と呼ばれる）を行う磁界発生コイル等の電気式加熱手段を用いたもの等、種々の高周波加熱装置付コンロに適用することができる。
又、本発明は、上記の実施形態で例示したビルトインタイプ以外に、据置タイプの高周波加熱装置付コンロにも適用することができる。
【産業上の利用可能性】
【００４６】
以上説明したように、高周波の漏洩を適切に防止しながら、加熱庫の開口部を広くし得る高周波加熱装置付コンロを提供することができる。
【符号の説明】
【００４７】
１    天板
２    本体ケース
３    加熱庫
４    開口部
５    扉
７    排気ダクト
１２  載置台
１３  凸部
１４  チョーク構造（高周波遮蔽部）
１７  マグネトロン
１８  高圧トランス
１９  高圧コンデンサ
２０  冷却ファン
２１  導波管
２４  排気口
２５  スライドレール
２６  固定レール
２７  可動レール
３５  高周波減衰通路
３６  減衰路形成部材
３７  外周面形成部材
Ｂ    コンロ用バーナ（コンロ用加熱部）
Ｈ    引出部
Ｇ    案内手段
Ｒ    高周波加熱装置
【図１】
2014009898.tif 000003
【図２】
2014009898.tif 000004
【図３】
2014009898.tif 000005
【図４】
2014009898.tif 000006
【図５】
2014009898.tif 000007
【図６】
2014009898.tif 000008
【図７】
2014009898.tif 000009
【図８】
2014009898.tif 000010
【図９】
2014009898.tif 000011